(57)【要約】【課題】発電パネルの平面パネルの撓みを除去して平面パネル上に配設された各発電モジュールを正確に太陽方向へ向け、十全な発電を行う。【解決手段】支柱３上に発電パネル１を支持し、当該発電パネル１の平面パネル２Ａ〜２Ｃ上に複数の発電モジュール２１を配設するとともに、駆動機構によって発電パネル１を太陽に向けて追従させるようにした追尾型太陽光発電装置において、平面パネル２Ａ〜２Ｃの撓み部に撓み方向と反対方向の力を作用させることによって当該平面パネルの撓みを除去する、ターンバックル４３付きの調整アーム４を設ける。【選択図】        図１
2015079788.tif 000002
【特許請求の範囲】
【請求項１】
支柱上に発電パネルを支持し、当該発電パネルの平面パネル上に複数の発電モジュールを配設するとともに、駆動機構によって前記発電パネルを太陽に向けて追従させるようにした追尾型太陽光発電装置において、前記平面パネルの撓み部に撓み方向と反対方向の力を作用させることによって当該平面パネルの撓みを除去する撓み除去手段を設けたことを特徴とする追尾型太陽光発電装置。
【請求項２】
前記各発電モジュールの前記平面パネルに対する傾きを変更する傾き変更手段をさらに設けた請求項１に記載の追尾型太陽光発電装置。
【請求項３】
前記各発電モジュールの表面に形成された複数の集光レンズ部の頂部を同一高の平面に形成した請求項１又は２に記載の追尾型太陽光発電装置。
【発明の詳細な説明】
【技術分野】
【０００１】
本発明は追尾型太陽光発電装置に関し、特に発電パネルの平面パネル上に複数の発電モジュールを配設した構造の追尾型太陽光発電装置に関する。
【背景技術】
【０００２】
この種の追尾型太陽光発電装置において、十全な発電を行うためには発電パネルの平面パネルが正確に太陽方向を向いて、当該平面パネル上に配設された各発電モジュールから最大の発電出力が得られる状態を保っておく必要がある。なお、追尾型太陽光発電装置の一例は特許文献１に開示されている。
【先行技術文献】
【特許文献】
【０００３】
【特許文献１】特開２０１２−２０４４７１
【発明の概要】
【発明が解決しようとする課題】
【０００４】
ところで、発電パネルの平面パネルは自重やその組付け時に歪を生じるとともに、これにさらに、パネル素材として屋外での耐候性に優れた溶融亜鉛メッキ鋼材を使用することによる熱歪が加わって、平面パネルが撓むことにより、発電モジュールが正確に太陽方向を向かないという問題があった。
【０００５】
そこで、本発明はこのような課題を解決するもので、発電パネルの平面パネルの撓みを除去して平面パネル上に配設された各発電モジュールを正確に太陽方向へ向け、十全な発電を行うことが可能な追尾型太陽光発電装置を提供することを目的とする。
【課題を解決するための手段】
【０００６】
上記目的を達成するために、本第１発明では、支柱（３）上に発電パネル（１）を支持し、当該発電パネル（１）の平面パネル（２Ａ〜２Ｃ）上に複数の発電モジュール（２１）を配設するとともに、駆動機構によって前記発電パネル（１）を太陽に向けて追従させるようにした追尾型太陽光発電装置において、前記平面パネル（２Ａ〜２Ｃ）の撓み部に撓み方向と反対方向の力を作用させることによって当該平面パネルの撓みを除去する撓み除去手段（４）を設ける。
【０００７】
本第１発明においては、平面パネルが歪で撓んでも、撓み除去手段によって平面パネルの撓み部分に撓み方向と反対方向の力を作用させることにより撓みが除去ないし抑制される。これにより、平面パネル上に配設された各発電モジュールを正確に太陽方向へ向けて十全な発電を行うことが可能となる。
【０００８】
本第２発明では、前記各発電モジュール（２１）の前記平面パネル（２Ａ〜２Ｃ）に対する傾きを変更する傾き変更手段（５２，５４）をさらに設ける。
【０００９】
本第２発明においては、平面パネルに対する各発電モジュールの取付が適当になされていない場合にも、各発電モジュールの傾きを適当に調整することによって、平面パネルを太陽に正対させた際に必ず各発電モジュールも太陽に正対するようにできる。
【００１０】
本第３発明では、前記各発電モジュール（２１）の表面に形成された複数の集光レンズ部（２１１）の頂部（２１２）を同一高の平面に形成する。
【００１１】
本第３発明によれば、各発電モジュールの集光レンズ部上に傾斜計を容易に位置決め載置して、各発電モジュールの傾きを確実に測定することができる。
【００１２】
上記カッコ内の符号は、後述する実施形態に記載の具体的手段との対応関係を示すものである。
【発明の効果】
【００１３】
以上のように、本発明の追尾型太陽光発電装置によれば、発電パネルの平面パネルの撓みを除去して平面パネル上に配設された各発電モジュールを正確に太陽方向へ向けることにより、十全な発電を行うことが可能である。
【図面の簡単な説明】
【００１４】
【図１】本発明の一実施形態を示す追尾型太陽光発電装置の全体斜視図である。
【図２】追尾型太陽光発電装置の発電パネルの半部断面図である。
【図３】発電パネル上に設けた発電モジュールの集光レンズ部の拡大斜視図である。
【図４】発電パネル上に設けた発電モジュールの端部拡大側面図である。
【発明を実施するための形態】
【００１５】
なお、以下に説明する実施形態はあくまで一例であり、本発明の要旨を逸脱しない範囲で当業者が行う種々の設計的改良も本発明の範囲に含まれる。
【００１６】
図１には追尾型太陽光発電装置（以下、単に発電装置という）の一例を示す。図１において、発電装置の発電パネル１は長方形状の中央の平面パネル２Ａと、当該平面パネル２Ａに対して段差を有して後方（発電パネルが水平状態では下方）に配置された同形の左右の平面パネル２Ｂ，２Ｃとから構成されている。各平面パネル２Ａ〜２Ｃ上には正方形状の発電モジュール２１が互いに隣接して複数（本実施形態では縦８列横４列の３２枚）配置されている。各発電モジュール２１には正方形領域の表面に５行５列で集光レンズ部２１１（図３参照）が形成されて、これら集光レンズ部２１１の焦点にそれぞれセルと称される発電素子（図示略）が配置されている。
【００１７】
上記発電パネル１は平面パネル２Ａの中心で支柱３によって、鉛直面内で傾動可能かつ水平面内で旋回可能に支持されている。そして発電パネル１は、支柱３上端に配設された図略の駆動モータによって傾動ないし旋回させられて、その平面パネル２Ａ〜２Ｃが常に太陽方向を向くように姿勢が制御されている。
【００１８】
ここで本実施形態では、平面パネル２Ａの左右両縁上下端および中央部（水平状態では前後端と中央部）と各平面パネル２Ｂ，２Ｃの外縁上下端および中央部との間に斜めに、撓み除去手段としての調整アーム４が架け渡してある。調整アーム４は図２に示すように、平面パネル２Ｂの外縁に一端が固定された長尺アーム部４１と平面パネル２Ａの側縁に一端が固定された短尺アーム４２の他端同士を、公知のターンバックル４３で結合した構造となっている。調整アーム４の構造は平面パネル２Ａ，２Ｃ間でも同様である。なお、図２中の符号１１は発電パネル１の傾動軸である。
【００１９】
このような構造によれば、ターンバックル４３を正転ないし逆転させると、これに応じて調整アーム４の実質長が長くあるいは短くなり、これによって平面パネル２Ｂ，２Ｃの外縁に入力する押し力ないし引き力が変化させられる。したがって、平面パネル２Ｂ，２Ｃが歪で撓んでも、調整アーム４を伸張ないし短縮させてこれによる押し力ないし引き力を調整し、撓み方向と反対方向への作用力を平面パネル２Ｂ，２Ｃの撓み部分に印加することによってその撓みが解消される。
【００２０】
なお、調整アーム４の設置の仕方は上記に限られるものではなく、例えば平面パネル２Ａ〜２Ｃの裏面に、たすき掛け状に調整アーム４を二本設置して、各調整アーム４の長さを調整して適当な押し力ないし引き力を平面パネル２Ａ〜２Ｃに与えることによってその撓みを解消するようにしても良い。
【００２１】
発電パネル１全体を水平姿勢にした状態で調整アーム４によって平面パネル２Ａ〜２Ｃの撓みを解消し、この状態で平面パネル２Ａ〜２Ｃ上の各発電モジュール２１も水平になっている必要があるが、設置誤差等によって水平になっていない場合がある。そこで、市販の傾斜計を使用して各発電モジュール２１の水平度を確認する。ここで、本実施形態では図３に示すように、各集光レンズ部２１１の頂部２１２を同一高の平面に形成して、傾斜計ＣＬをその上に載置し易くしてある。
【００２２】
また、各発電モジュール２１では図４に示すように、互いに隣接する一方の発電モジュール２１の支持板５１の一端に、傾き変更手段を構成するＬ字アングル５２を固定して、これの垂壁の上下位置にネジ５２１を設ける。また他方の発電モジュール２１の支持板５３の一端にはブラケット５４を固定して、当該ブラケット５４に上記ネジ５２１を受け入れる上下方向へ延びる長穴５４１を形成し、上記ネジにナット５２２を結合する。これにより、上記一方の発電モジュール２１の支持板５１の一端を適当に上下に移動させて、当該発電モジュール２１の傾きを再調整することができる。そこで、各発電モジュール２１の表面の集光レンズ部２１１上に図３に示すように傾斜計ＣＬを載せて、支持板５１の一端を適当に上下させることによって当該発電モジュール２１が水平になるようにその傾きを調整することができる。
【００２３】
以上の行程により、本実施形態の発電装置によれば、平面パネル２Ａ〜２Ｃにその自重やその組付け時に生じる歪あるいは熱歪によって撓みを生じても、これを効果的に除去しあるいは撓みを小さくして平面パネル２Ａ〜２Ｃを太陽方向へ正対させることができる。加えて、平面パネル２Ａ〜２Ｃ上の各発電モジュール２１についてもその傾きを調整してこれらを全て太陽方向へ正対させることができるから、発電装置に十分な発電能力を発揮させて十全な発電を実現することができる。
【符号の説明】
【００２４】
１…発電パネル、２Ａ〜２Ｃ…平面パネル、２１…発電モジュール、２１１…集光レンズ部、２１２…頂部、３…支柱、４…調整アーム（撓み除去手段）、５２…Ｌ字アングル（傾き変更手段）、）、５４…ブラケット（傾き変更手段）。
【図１】
2015079788.tif 000003
【図２】
2015079788.tif 000004
【図３】
2015079788.tif 000005
【図４】
2015079788.tif 000006